【手続補正書】
【提出日】平成23年3月2日(2011.3.2)
【手続補正１】
【補正対象書類名】明細書
【補正対象項目名】０１７７
【補正方法】変更
【補正の内容】
【０１７７】
【表１】
2010520939.tif 000001
以下に、本願発明に関連する発明の実施の形態を列挙する。
実施形態１
重合微細構造化表面を含む光学フィルムであって、該重合微細構造化表面が、
５０重量％までの１種以上のトリフェニル（メタ）アクリレートモノマー、及び２５重量％〜７５重量％の、ビスフェノールＡ（メタ）アクリレート、芳香族エポキシ（メタ）アクリレート、及びこれらの混合物から選択される、１種以上のジ（メタ）アクリレートモノマー又はオリゴマーを含む重合性樹脂組成物の反応生成物を含む、光学フィルム。
実施形態２
前記重合性樹脂組成物が、塩素、臭素、又はこれらの混合物を総量で１重量％未満含む、実施形態１に記載の光学フィルム。
実施形態３
前記重合性樹脂組成物が、塩素、臭素、フッ素及びヨウ素を総量で１重量％未満含む、実施形態１に記載の光学フィルム。
実施形態４
前記重合性樹脂が、無機ナノ粒子を含有しない、実施形態１に記載の光学フィルム。
実施形態５
前記重合性樹脂が、少なくとも１０重量％の表面修飾無機ナノ粒子を含む、実施形態１に記載の光学フィルム。
実施形態６
前記無機ナノ粒子が、少なくとも１．６８の屈折率を有する、実施形態５に記載の光学フィルム。
実施形態７
前記無機ナノ粒子がジルコニアを含む、実施形態５に記載の光学フィルム。
実施形態８
前記光学フィルムが、少なくとも１．５９の単一シートゲインを有する輝度向上フィルムである、実施形態１〜７のいずれか一項に記載の光学フィルム。
実施形態９
トリフェニルモノマーがモノ（メタ）アクリレートである、実施形態１〜７のいずれか一項に記載の光学フィルム。
実施形態１０
トリフェニルモノマーがマルチ（メタ）アクリレートである、実施形態１〜７のいずれか一項に記載の光学フィルム。
実施形態１１
重合微細構造化表面を含む光学フィルムであって、該重合微細構造化表面が、一般的構造
【化１】
2010520939.tif 000002
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも１つのＲ２は、（メタ）アクリレート基を含む置換基であり、
Ｘは、独立して、ハロゲン、アリール、又はＣ２〜Ｃ１２のアルキル基であり、かつ
ｐは、０〜５である、光学フィルム。
実施形態１２
ｐが、０である、実施形態１１に記載の光学フィルム。
実施形態１３
Ｒ２が、独立して
【化２】
2010520939.tif 000003
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、かつ
Ｒ１は、Ｈ又はＣＨ３である、から選択される（メタ）アクリレート置換基である、実施形態１１に記載の光学フィルム。
実施形態１４
Ｑが、０である、実施形態１３に記載の光学フィルム。
実施形態１５
Ｌが、Ｃ２又はＣ３であり、かつｎが、１である、実施形態１４に記載の光学フィルム。
実施形態１６
前記トリフェニルモノマーがトリ（メタ）アクリレートである、実施形態１１〜１５のいずれか一項に記載の光学フィルム。
実施形態１７
前記トリフェニルモノマーがモノ（メタ）アクリレートである、実施形態１１〜１５のいずれか一項に記載の光学フィルム。
実施形態１８
前記トリフェニルモノマーが、構造
【化３】
2010520939.tif 000004
を有する、実施形態１７に記載の光学フィルム。
実施形態１９
重合微細構造化表面を含む光学フィルムであって、該重合微細構造化表面が、一般的構造
【化４】
2010520939.tif 000005
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも１つのＲ２は、（メタ）アクリレート基を含む置換基であり、
Ｘは、独立して、ハロゲン、アリール、又はＣ２〜Ｃ１２のアルキル基であり、
かつｐは、０〜５である、光学フィルム。
実施形態２０
ｐが、０である、実施形態１９に記載の光学フィルム。
実施形態２１
Ｒ２が、独立して、
【化５】
2010520939.tif 000006
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、
Ｒ１は、Ｈ又はＣＨ３であり、かつ
Ｒ３は、ハロゲン、アリール、又はＣ２〜Ｃ１２のアルキル基である、から選択される（メタ）アクリレート置換基である、実施形態１９に記載の光学フィルム。
実施形態２２
Ｑが、０である、実施形態２１に記載の光学フィルム。
実施形態２３
Ｌが、Ｃ２又はＣ３であり、かつｎが、１である、実施形態２２に記載の光学フィルム。
実施形態２４
前記トリフェニルモノマーが、モノ（メタ）アクリレートである、実施形態１９〜２３のいずれか一項に記載の光学フィルム。
実施形態２５
前記トリフェニルモノマーが、ジ（メタ）アクリレートである、実施形態１９〜２３のいずれか一項に記載の光学フィルム。
実施形態２６
前記トリフェニルモノマーが、トリ（メタ）アクリレートである、実施形態１９〜２３のいずれか一項に記載の光学フィルム。
実施形態２７
前記トリフェニルモノマーが、構造
【化６】
2010520939.tif 000007
を有する、実施形態２６に記載の光学フィルム。
実施形態２８
前記トリフェニルモノマーが、構造
【化７】
2010520939.tif 000008
を有する、実施形態２６に記載の光学フィルム。
実施形態２９
重合微細構造化表面を含む光学フィルムであって、該重合微細構造化表面が、一般的構造
【化８】
2010520939.tif 000009
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも２つのＲ２基が（メタ）アクリレート基を含み、
Ｘは、独立して、ハロゲン、アリール、又はＣ２〜Ｃ１２のアルキル基であり、
Ｒ３は、独立して、水素、アリール、又はＣ２〜Ｃ１２のアルキル基であり、かつ
ｐが、０〜５である、光学フィルム。
実施形態３０
ｐが、０である、実施形態２９に記載の光学フィルム。
実施形態３１
Ｒ２が、独立して、
【化９】
2010520939.tif 000010
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、
Ｒ１は、Ｈ又はＣＨ３であり、かつ
Ｒ３は、ハロゲン、アリール、又はＣ２〜Ｃ１２のアルキル基である、から選択される（メタ）アクリレート置換基である、実施形態２９に記載の光学フィルム。
実施形態３２
Ｑが、０である、実施形態３１に記載の光学フィルム。
実施形態３３
Ｌが、Ｃ２又はＣ３であり、かつｎが、１である、実施形態３２に記載の光学フィルム。
実施形態３４
前記トリフェニルモノマーが、ジ（メタ）アクリレートである、実施形態２９〜３３のいずれか一項に記載の光学フィルム。
実施形態３５
前記トリフェニルモノマーが、トリ（メタ）アクリレートである、実施形態２９〜３３のいずれか一項に記載の光学フィルム。
実施形態３６
前記重合性樹脂組成物が、
５０重量％までの１種以上のトリフェニル（メタ）アクリレートモノマー、及び
２５重量％〜７５重量％の、少なくとも２つの重合性（メタ）アクリレート基を有する、１種以上のマルチ（メタ）アクリレートモノマー又はオリゴマーを含む、実施形態１１〜３５のいずれか一項に記載の光学フィルム。
実施形態３７
前記マルチ（メタ）アクリレートモノマーが、１種以上のビスフェノールＡ（メタ）アクリレート、芳香族エポキシ（メタ）アクリレート、及びこれらの混合物を含む、実施形態３６に記載の光学フィルム。
実施形態３８
前記重合性樹脂組成物が、塩素、臭素、又はこれらの混合物を総量で１重量％未満含む、実施形態１１〜３７のいずれか一項に記載の光学フィルム。
実施形態３９
前記重合性樹脂組成物が、塩素、臭素、フッ素及びヨウ素を総量で１重量％未満含む、実施形態１１〜３７のいずれか一項に記載の光学フィルム。
実施形態４０
前記重合性樹脂が、無機ナノ粒子を含有しない、実施形態１１〜３９のいずれか一項に記載の光学フィルム。
実施形態４１
前記重合性樹脂が、少なくとも１０重量％の表面修飾無機ナノ粒子を含む、実施形態１１〜３９のいずれか一項に記載の光学フィルム。
実施形態４２
前記無機ナノ粒子が、少なくとも１．６８の屈折率を有する、実施形態４１に記載の光学フィルム。
実施形態４３
前記無機ナノ粒子が、ジルコニアを含む、実施形態４２に記載の光学フィルム。
実施形態４４
前記光学フィルムが、少なくとも１．５９の単一シートゲインを有する輝度向上フィルムである、実施形態１１〜４３のいずれか一項に記載の光学フィルム。
実施形態４５
前記トリフェニルモノマーが、少なくとも１．５０の屈折率を有するトリアクリレート（メタ）アクリレートモノマーである、実施形態１〜４４のいずれか一項に記載の光学フィルム。
実施形態４６
前記トリフェニルモノマーが、少なくとも１．５５の屈折率を有する、実施形態１〜４５のいずれか一項に記載の光学フィルム。
実施形態４７
前記トリフェニルモノマーが、少なくとも１．６０の屈折率を有する、実施形態１〜４６のいずれか一項に記載の光学フィルム。
実施形態４８
前記トリフェニルモノマーが、周囲温度にて液体である、実施形態１〜４７のいずれか一項に記載の光学フィルム。
実施形態４９
前記トリフェニルモノマーが、
ａ）トリフェニルアルコール基含有材料と（メタ）アクリル酸又はエステル化合物との、又は
ｂ）トリフェニルアルコール基含有材料と芳香族酸及び（メタ）アクリル酸又はエステル化合物との反応によって調製される、実施形態１〜４８のいずれか一項に記載の光学フィルム。
実施形態５０
重合微細構造化表面を含む光学フィルムであって、該重合微細構造化表面が、少なくとも１種の重合性多官能エチレン系不飽和トリフェニルモノマーを含む重合性樹脂組成物の反応生成物からなる、光学フィルム。
実施形態５１
前記トリフェニルモノマーが、ジ（メタ）アクリレート、トリ（メタ）アクリレート、又はこれらの混合物である、実施形態５０に記載の光学フィルム。
実施形態５２
５０重量％までの１種以上のトリフェニル（メタ）アクリレートモノマー、及び２５重量％〜７５重量％の、ビスフェノールＡ（メタ）アクリレート、芳香族エポキシ（メタ）アクリレート、又はこれらの混合物から選択される、１種以上のジ（メタ）アクリレートモノマー又はオリゴマーを含む重合性樹脂組成物。
実施形態５３
一般的構造
【化１０】
2010520939.tif 000011
を有するトリフェニルモノマーであって、式中、Ｘは、独立して、ハロゲン、アリール、又はＣ２〜Ｃ１２のアルキル基であり、
ｐは、０〜５であり、かつ
Ｒ２は、独立して、Ｈ又は（メタ）アクリレート基を含む置換基であるとともに、少なくとも１つのＲ２は、
【化１１】
2010520939.tif 000012
式中、Ｑは、Ｏ又はＳであり、
Ｌは、１つ以上のヒドロキシル基により置換されているか又は置換されていないＣ２〜Ｃ６のアルキル基であり、
ｎは、１〜１０の範囲であり、かつ
Ｒ１は、Ｈ又はＣＨ３である、から選択される（メタ）アクリレートを含む置換基を含む、トリフェニルモノマー。
実施形態５４
ｐが、０である、実施形態５３に記載のトリフェニルモノマー。
実施形態５５
Ｑが、０である、実施形態５３に記載のトリフェニルモノマー。
実施形態５６
前記トリフェニルモノマーが、トリ（メタ）アクリレートである、実施形態５３〜５５のいずれか一項に記載のトリフェニルモノマー。
実施形態５７
前記トリフェニルモノマーが、ジ（メタ）アクリレートである、実施形態５３〜５５のいずれか一項に記載のトリフェニルモノマー。
実施形態５８
前記トリフェニルモノマーが、モノ（メタ）アクリレートである、実施形態５３〜５５のいずれか一項に記載のトリフェニルモノマー。
実施形態５９
ＱがＯであり、ＬがＣ２又はＣ３であり、かつｎが１である、実施形態５３〜５５のいずれか一項に記載のトリフェニルモノマー。
実施形態６０
前記トリフェニルモノマーが、構造
【化１２】
2010520939.tif 000013
を有する、実施形態５９に記載のトリフェニルモノマー。
【手続補正２】
【補正対象書類名】特許請求の範囲
【補正対象項目名】全文
【補正方法】変更
【補正の内容】
【特許請求の範囲】
【請求項１】
重合微細構造化表面を含む光学フィルムであって、該重合微細構造化表面が、
５０重量％までの１種以上のトリフェニル（メタ）アクリレートモノマー、及び２５重量％〜７５重量％の、ビスフェノールＡ（メタ）アクリレート、芳香族エポキシ（メタ）アクリレート、及びこれらの混合物から選択される、１種以上のジ（メタ）アクリレートモノマー又はオリゴマーを含む重合性樹脂組成物の反応生成物を含む、光学フィルム。
【請求項２】
重合微細構造化表面を含む光学フィルムであって、該重合微細構造化表面が、一般的構造
【化１３】
2010520939.tif 000014
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも１つのＲ２は、（メタ）アクリレート基を含む置換基であり、
Ｘは、独立して、ハロゲン、アリール、又はＣ２〜Ｃ１２のアルキル基であり、かつ
ｐは、０〜５である、光学フィルム。
【請求項３】
Ｒ２が、独立して
【化１４】
2010520939.tif 000015
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、かつ
Ｒ１は、Ｈ又はＣＨ３である、から選択される（メタ）アクリレート置換基である、請求項２に記載の光学フィルム。
【請求項４】
重合微細構造化表面を含む光学フィルムであって、該重合微細構造化表面が、一般的構造
【化１５】
2010520939.tif 000016
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも１つのＲ２は、（メタ）アクリレート基を含む置換基であり、
Ｘは、独立して、ハロゲン、アリール、又はＣ２〜Ｃ１２のアルキル基であり、
かつｐは、０〜５である、光学フィルム。
【請求項５】
ｐが、０である、請求項４に記載の光学フィルム。
【請求項６】
Ｒ２が、独立して、
【化１６】
2010520939.tif 000017
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、
Ｒ１は、Ｈ又はＣＨ３であり、かつ
Ｒ３は、ハロゲン、アリール、又はＣ２〜Ｃ１２のアルキル基である、から選択される（メタ）アクリレート置換基である、請求項４に記載の光学フィルム。
【請求項７】
重合微細構造化表面を含む光学フィルムであって、該重合微細構造化表面が、一般的構造
【化１７】
2010520939.tif 000018
を有する少なくとも１種のトリフェニルモノマーを含む重合性樹脂組成物の反応生成物からなり、式中、Ｒ２は、独立して、Ｈ又は（メタ）アクリレート基を含む置換基であるとともに、少なくとも２つのＲ２基が（メタ）アクリレート基を含み、
Ｘは、独立して、ハロゲン、アリール、又はＣ２〜Ｃ１２のアルキル基であり、
Ｒ３は、独立して、水素、アリール、又はＣ２〜Ｃ１２のアルキル基であり、かつ
ｐが、０〜５である、光学フィルム。
【請求項８】
Ｒ２が、独立して、
【化１８】
2010520939.tif 000019
式中、Ｑは、Ｏ又はＳであり、
Ｌは、１つ以上のヒドロキシル基により置換されているか又は置換されていないＣ２〜Ｃ６のアルキル基であり、
ｎは、０〜１０の範囲であり、
Ｒ１は、Ｈ又はＣＨ３であり、かつ
Ｒ３は、ハロゲン、アリール、又はＣ２〜Ｃ１２のアルキル基である、から選択される（メタ）アクリレート置換基である、請求項７に記載の光学フィルム。
【請求項９】
前記重合性樹脂組成物が、
５０重量％までの１種以上のトリフェニル（メタ）アクリレートモノマー、及び
２５重量％〜７５重量％の、少なくとも２つの重合性（メタ）アクリレート基を有する、１種以上のマルチ（メタ）アクリレートモノマー又はオリゴマーを含む、請求項２〜８のいずれか一項に記載の光学フィルム。
【請求項１０】
前記マルチ（メタ）アクリレートモノマーが、１種以上のビスフェノールＡ（メタ）アクリレート、芳香族エポキシ（メタ）アクリレート、及びこれらの混合物を含む、請求項９に記載の光学フィルム。